(57)【要約】  プロトコルの互換性が向上したＰＴＴ通信システムおよびこれを利用したＰＴＴ通信方法が開示される。本プロトコル互換性が向上したＰＴＴ通信システムは、ＰＴＴ通信を遂行するためのＰＴＴアプリケーションが設置されるモバイル端末；および二つ以上の前記モバイル端末が接続されると、前記二つ以上のモバイル端末間でＰＴＴ通信が遂行されるようにするＰＴＴ通信サーバー；を含み、前記ＰＴＴ通信サーバーは、前記二つ以上のモバイル端末間のＰＴＴ通信プロトコルが互いに異なると、前記二つ以上のモバイル端末のうち発信端末の役割を遂行する第１モバイル端末から音声信号が受信されると、前記受信された音声信号の第１ＰＴＴ通信プロトコルが受信端末の役割を遂行する第２モバイル端末で処理可能な第２ＰＴＴ通信プロトコルに変換されるようにして、前記他の一つのモバイル端末に伝達することができる。これによって、ライブラリアプリケーションをはじめとする特定のＰＴＴアプリケーションサービスを利用する場合にも、互いに異なる会社のＰＴＴアプリケーションサービスを利用することができ、伝送階層の種類に制限が無いようにして、ＴＣＰ伝送階層とＵＤＰ伝送階層のうちいずれか一つの伝送階層を利用しても、制限なくＰＴＴ通信を遂行することができる。また、ＰＴＴボタンを任意に設定したり、またはチャネルの接続履歴を利用して使用者が既存に利用していたチャネルに迅速かつ便利に接続するようにすることによって、使用者の便宜を提供することができる。
2021506200.tif 000002
【特許請求の範囲】
【請求項１】
ＰＴＴ通信を遂行するためのＰＴＴアプリケーションが設置されるモバイル端末；および
二つ以上の前記モバイル端末が接続されると、前記二つ以上のモバイル端末間でＰＴＴ通信が遂行されるようにするＰＴＴ通信サーバー；を含み、
前記ＰＴＴ通信サーバーは、
前記二つ以上のモバイル端末間のＰＴＴ通信プロトコルが互いに異なると、前記二つ以上のモバイル端末のうち発信端末の役割を遂行する第１モバイル端末から音声信号が受信されると、前記受信された音声信号の第１ＰＴＴ通信プロトコルが受信端末の役割を遂行する第２モバイル端末で処理可能な第２ＰＴＴ通信プロトコルに変換されるようにして、前記他の一つのモバイル端末に伝達することを特徴とする、プロトコル互換性が向上したＰＴＴ通信システム。
【請求項２】
前記ＰＴＴ通信サーバーは、
前記二つ以上のモバイル端末間のＰＴＴ通信用チャネルを提供するチャネル管理部；
特定のモバイル端末が特定のＰＴＴ通信チャネルに接続されると、前記ＰＴＴ通信チャネルに接続されたモバイル端末のＰＴＴ通信プロトコルに対する情報を受信して保存し、前記特定のＰＴＴ通信チャネルに接続された二つ以上のモバイル端末からそれぞれのＰＴＴ通信プロトコルに対する情報が受信されると、前記接続された二つ以上のモバイル端末間のＰＴＴ通信プロトコルが互いに異なるものであるか否かを判断するプロトコル管理部；
前記接続された二つ以上のモバイル端末のうち発信端末の役割を遂行する第１モバイル端末から音声信号を受信する受信部；
前記接続された二つ以上のモバイル端末間のＰＴＴ通信プロトコルが互いに異なる場合、前記受信した音声信号の第１ＰＴＴ通信プロトコルが前記接続された二つ以上のモバイル端末のうち、受信端末の役割を遂行する第２モバイル端末で処理可能な第２ＰＴＴ通信プロトコルに変換されるようにするプロトコル変換部；および
前記第２ＰＴＴ通信プロトコルに変換された音声信号が前記第２モバイル端末に伝達されるようにする発信部；を含むことを特徴とする、請求項１に記載のプロトコル互換性が向上したＰＴＴ通信システム。
【請求項３】
前記チャネル管理部は、
前記特定のモバイル端末が特定のＰＴＴ通信用チャネルに接続する場合、前記接続された特定のＰＴＴ通信用チャネルに対する情報が含まれる接続履歴情報を生成して、前記特定のモバイル端末に保存されるようにし、
前記特定のモバイル端末に設置されたＰＴＴアプリケーションが実行されると、既保存された接続履歴情報が存在するか否かを判断して、前記既保存された接続履歴情報が存在すると、前記既保存された接続履歴情報に含まれたＰＴＴ通信用チャネルのうちいずれか一つにすぐに接続可能にすることを特徴とする、請求項２に記載のプロトコル互換性が向上したＰＴＴ通信システム。
【請求項４】
前記プロトコル変換部は、
前記特定のＰＴＴ通信チャネルに接続された二つ以上のモバイル端末から互いに異なるＰＴＴ通信プロトコルの音声信号が重複して受信されると、前記受信されたそれぞれの音声信号のうち第１音声信号のＰＴＴ通信プロトコルがすぐに変換されるようにするものの、
第２音声信号のＰＴＴ通信プロトコルが変換されていない状態で一時保存されるようにし、前記第１音声信号のＰＴＴ通信プロトコルの変換が完了すると、前記一時保存された第２音声信号のＰＴＴ通信プロトコルが変換されるようにすることを特徴とする、請求項３に記載のプロトコル互換性が向上したＰＴＴ通信システム。
【請求項５】
前記モバイル端末は、
前記ＰＴＴアプリケーションが実行されて、画面に出力される一つ以上のアイコンをダブルクリックする場合、前記ダブルクリックされたアイコンがＰＴＴ通信を遂行するためのＰＴＴ加圧ボタンとして設定されるようにすることを特徴とする、請求項３に記載のプロトコル互換性が向上したＰＴＴ通信システム。
【請求項６】
前記チャネル管理部は、
前記モバイル端末に設置されたＰＴＴアプリケーションが実行され、前記設定されたＰＴＴ加圧ボタンが加圧されると、前記モバイル端末が特定のＰＴＴ通信用チャネルを選択しなくても、前記ＰＴＴ加圧ボタンが加圧されたモバイル端末が前記既保存された接続履歴情報に含まれたＰＴＴ通信用チャネルのうち最も最近に接続されたＰＴＴ通信用チャネルに接続されるようにすることを特徴とする、請求項５に記載のプロトコル互換性が向上したＰＴＴ通信システム。
【請求項７】
二つ以上のモバイル端末が特定のＰＴＴ通信チャネルに接続する段階；
ＰＴＴ通信サーバーが特定のＰＴＴ通信チャネルに接続された二つ以上のモバイル端末からＰＴＴ通信プロトコルに対する情報を受信する段階；
前記ＰＴＴ通信サーバーがそれぞれのＰＴＴ通信プロトコルに対する情報を比較して、前記二つ以上のモバイル端末間のＰＴＴ通信プロトコルが互いに異なるものであるか否かを判断する段階；
前記ＰＴＴ通信サーバーが前記二つ以上のモバイル端末のうち発信端末の役割を遂行する第１モバイル端末から音声信号を受信する段階；
前記二つ以上のモバイル端末間のＰＴＴ通信プロトコルが互いに異なる場合、前記ＰＴＴ通信サーバーによって、前記受信した音声信号の第１ＰＴＴ通信プロトコルが前記二つ以上のモバイル端末のうち、受信端末の役割を遂行する第２モバイル端末で処理可能な第２ＰＴＴ通信プロトコルに変換されるようにする段階；および
前記ＰＴＴ通信サーバーが、前記変換された音声信号を前記第２モバイル端末に伝達する段階；を含む、プロトコル互換性が向上したＰＴＴ通信方法。
【発明の詳細な説明】
【技術分野】
【０００１】
本発明はＰＴＴ通信システムおよびこれを利用したＰＴＴ通信方法に関し、さらに詳細にはプロトコルの互換性が向上したＰＴＴ通信システムおよびこれを利用したＰＴＴ通信方法に関する。
【背景技術】
【０００２】
ＰＴＴ（Ｐｕｓｈ  Ｔｏ  Ｔａｌｋ）通信とは、他人に音声を伝送するためのボタンを加圧した状態で他人に音声を伝送し、ボタンが未加圧された状態では他人から音声を受信する両方向通信であって、１：１または１：多数間の通話が可能であるため、一人の音声が多数の他人に伝送され得る。
【０００３】
最近はモバイル端末機ごとに固有のＩＰ番号が付与されているが、インターネットデータ通信や移動通信のデータ網を利用して移動通信端末機の音声サービス網を利用せずとも、無線機のように音声を送受信できるモバイル端末機ＰＴＴサービスも提供されている。
【０００４】
このようなＩＰ−ＰＴＴシステムは、使用者が端末機でＰＴＴアプリケーションを利用して接続後に多重伝送階層を使う場合に、初期の伝送階層を選択する段階を経た後、一つの伝送階層のみを利用して通信を遂行しなければならないため、互いに異なる伝送階層間でＰＴＴ通信を遂行できないという短所が存在する。
【０００５】
併せて、ＰＴＴアプリケーションサービス別に互いに異なる専用プロトコルを提供する場合にも、プロトコルが互いに異なるため他のＰＴＴアプリケーションサービスを利用する使用者とＰＴＴ通信ができないという不都合な点が存在する。
【０００６】
そこで、特定のＰＴＴアプリケーションサービスを利用する場合にも、互いに異なる会社のＰＴＴアプリケーションサービスを利用したりまたは伝送階層の種類に制限が無いようにして、ＴＣＰ伝送階層とＵＤＰ伝送階層のうちいずれか一つの伝送階層を利用しても制限なくＰＴＴ通信を遂行するための方法の摸索が要求される。
【発明の概要】
【発明が解決しようとする課題】
【０００７】
本発明は前記のような問題を解決するために案出されたものであって、本発明の目的は、ＴＣＰ伝送階層とＵＤＰ伝送階層間のプロトコル互換性を向上させ、ＰＴＴアプリケーションサービス別に互いに異なる専用プロトコルを利用する場合にも、ＰＴＴアプリケーションサービス別プロトコルが相互に互換できるようにするＰＴＴ通信システムおよびこれを利用したＰＴＴ通信方法を提供することである。
【０００８】
また、本発明の他の目的は、ＰＴＴアプリケーションを通じてＰＴＴボタンを任意に設定することができ、ＰＴＴ通信のためのチャネルの接続履歴を利用して、使用者が既存に利用していたチャネルに迅速かつ便利に接続するようにするＰＴＴ通信システムおよびこれを利用したＰＴＴ通信方法を提供することにある。
【課題を解決するための手段】
【０００９】
前記目的を達成するための本発明の一実施例に係るプロトコル互換性が向上したＰＴＴ通信システムは、ＰＴＴ通信を遂行するためのＰＴＴアプリケーション（Ａｐｐ）が設置されるモバイル端末；および二つ以上の前記モバイル端末が接続されると、前記二つ以上のモバイル端末間でＰＴＴ通信が遂行されるようにするＰＴＴ通信サーバー；を含み、この時、前記ＰＴＴ通信サーバーは、前記二つ以上のモバイル端末間のＰＴＴ通信プロトコルが互いに異なると、前記二つ以上のモバイル端末のうち発信端末の役割を遂行する第１モバイル端末から音声信号が受信されると、前記受信された音声信号の第１ＰＴＴ通信プロトコルが受信端末の役割を遂行する第２モバイル端末で処理可能な第２ＰＴＴ通信プロトコルに変換されるようにして、前記他の一つのモバイル端末に伝達できる。
【００１０】
また、前記ＰＴＴ通信サーバーは、前記二つ以上のモバイル端末間のＰＴＴ通信用チャネルを提供するチャネル管理部；特定のモバイル端末が特定のＰＴＴ通信チャネルに接続されると、前記ＰＴＴ通信チャネルに接続されたモバイル端末のＰＴＴ通信プロトコルに対する情報を受信して保存し、前記特定のＰＴＴ通信チャネルに接続された二つ以上のモバイル端末からそれぞれのＰＴＴ通信プロトコルに対する情報が受信されると、前記接続された二つ以上のモバイル端末間のＰＴＴ通信プロトコルがそれぞれ異なるものであるか否かを判断するプロトコル管理部；前記接続された二つ以上のモバイル端末のうち発信端末の役割を遂行する第１モバイル端末から音声信号を受信する受信部；前記接続された二つ以上のモバイル端末間のＰＴＴ通信プロトコルが互いに異なる場合、前記受信した音声信号の第１ＰＴＴ通信プロトコルが前記接続された二つ以上のモバイル端末のうち、受信端末の役割を遂行する第２モバイル端末で処理可能な第２ＰＴＴ通信プロトコルに変換されるようにするプロトコル変換部；および前記第２ＰＴＴ通信プロトコルに変換された音声信号が前記第２モバイル端末に伝達されるようにする発信部；を含むことができる。
【００１１】
そして、前記チャネル管理部は、前記特定のモバイル端末が特定のＰＴＴ通信用チャネルに接続する場合、前記接続された特定のＰＴＴ通信用チャネルに対する情報が含まれる接続履歴情報を生成して、前記特定のモバイル端末に保存されるようにし、前記特定のモバイル端末に設置されたＰＴＴアプリケーションが実行されると、既保存された接続履歴情報が存在するかを判断して、前記既保存された接続履歴情報が存在すれば、前記既保存された接続履歴情報に含まれたＰＴＴ通信用チャネルのうちいずれか一つにすぐに接続可能であるようにすることができる。
【００１２】
また、前記プロトコル変換部は、前記特定のＰＴＴ通信チャネルに接続された二つ以上のモバイル端末から互いに異なるＰＴＴ通信プロトコルの音声信号が重複して受信されると、前記受信されたそれぞれの音声信号のうち第１音声信号のＰＴＴ通信プロトコルがすぐに変換されるようにするものの、第２音声信号のＰＴＴ通信プロトコルが変換されていない状態で一時保存されるようにし、前記第１音声信号のＰＴＴ通信プロトコルの変換が完了すると、前記一時保存された第２音声信号のＰＴＴ通信プロトコルが変換されるようにすることができる。
【００１３】
そして、前記モバイル端末は、前記ＰＴＴアプリケーションが実行されて、画面に出力される一つ以上のアイコンをダブルクリックする場合、前記ダブルクリックされたアイコンがＰＴＴ通信を遂行するためのＰＴＴ加圧ボタンとして設定されるようにすることができる。
【００１４】
また、前記チャネル管理部は、前記モバイル端末に設置されたＰＴＴアプリケーションが実行され、前記設定されたＰＴＴ加圧ボタンが加圧されると、前記モバイル端末が特定のＰＴＴ通信用チャネルを選択しなくても、前記ＰＴＴ加圧ボタンが加圧されたモバイル端末が上記既保存された接続履歴情報に含まれたＰＴＴ通信用チャネルのうち最も最近に接続されたＰＴＴ通信用チャネルに接続されるようにすることができる。
【００１５】
一方、前記目的を達成するための本発明の一実施例に係るプロトコル互換性が向上したＰＴＴ通信方法は、二つ以上のモバイル端末が特定のＰＴＴ通信チャネルに接続する段階；ＰＴＴ通信サーバーが特定のＰＴＴ通信チャネルに接続された二つ以上のモバイル端末からＰＴＴ通信プロトコルに対する情報を受信する段階；前記ＰＴＴ通信サーバーがそれぞれのＰＴＴ通信プロトコルに対する情報を比較して、前記二つ以上のモバイル端末間のＰＴＴ通信プロトコルがそれぞれ異なるものであるか否かを判断する段階；前記ＰＴＴ通信サーバーが前記二つ以上のモバイル端末のうち発信端末の役割を遂行する第１モバイル端末から音声信号を受信する段階；前記二つ以上のモバイル端末間のＰＴＴ通信プロトコルが互いに異なる場合、前記ＰＴＴ通信サーバーにより、前記受信した音声信号の第１ＰＴＴ通信プロトコルが前記二つ以上のモバイル端末のうち、受信端末の役割を遂行する第２モバイル端末で処理可能な第２ＰＴＴ通信プロトコルに変換されるようにする段階；および前記ＰＴＴ通信サーバーが、前記変換された音声信号を前記第２モバイル端末に伝達する段階；を含む。
【発明の効果】
【００１６】
これによって、ライブラリアプリケーションをはじめとする特定のＰＴＴアプリケーションサービスを利用する場合にも、互いに異なる会社のＰＴＴアプリケーションサービスを利用することができ、伝送階層の種類に制限が無いようにして、ＴＣＰ伝送階層とＵＤＰ伝送階層のうちいずれか一つの伝送階層を利用しても制限なくＰＴＴ通信を遂行することができる。
【００１７】
また、ＰＴＴボタンを任意に設定したりまたはチャネルの接続履歴を利用して、使用者が既存に利用していたチャネルに迅速かつ便利に接続するようにすることによって、使用者の便宜を提供することができる。
【図面の簡単な説明】
【００１８】
【図１】本発明の一実施例に係るプロトコル互換性が向上したＰＴＴ通信システムが概略的に図示された図面である。
【００１９】
【図２】本発明の一実施例に係るＰＴＴ通信サーバーの構成をさらに詳細に説明するために図示された図面である。
【００２０】
【図３】本発明の一実施例に係るプロトコル変換部についてさらに詳細に説明するために図示された図面である。
【００２１】
【図４】本発明の一実施例に係るモバイル端末に設置されたＰＴＴアプリケーションが実行される場合、画面の構成を説明するために図示された図面である。
【００２２】
【図５】本発明の一実施例に係るプロトコル互換性が向上したＰＴＴ通信方法を説明するために図示されたフローチャートである。
【発明を実施するための形態】
【００２３】
以下では図面を参照して本発明についてより詳細に説明することにする。以下に紹介される実施例は、本発明が属する技術分野で通常の知識を有する者に本発明の思想が十分に伝達され得るようにするための一例として提供されるものである。本発明は下記で説明される実施例に限定されず、異なる形態で具体化されてもよい。本発明を明確に説明するために説明と関係がない部分は図面で省略した。
【００２４】
図１は、本発明の一実施例に係るプロトコル互換性が向上したＰＴＴ通信システム（以下では「ＰＴＴ通信システム」と称する）が概略的に図示された図面である。
【００２５】
本実施例に係るＰＴＴ通信システムは、ＴＣＰ伝送階層とＵＤＰ伝送階層間のプロトコル互換性を向上させ、ＰＴＴアプリケーションサービス別に互いに異なる専用プロトコルを利用する場合にも、ＰＴＴアプリケーションサービス別プロトコルが相互に互換できるようにし、ＰＴＴアプリケーションを通じて、ＰＴＴボタンを任意に設定することができ、ＰＴＴ通信のためのチャネルの接続履歴を利用して、使用者が既存に利用していたチャネルに迅速かつ便利に接続するようにするために設けられる。
【００２６】
このために、本ＰＴＴ通信システムは、ＰＴＴ通信を遂行するためのＰＴＴアプリケーションが設置される複数のモバイル端末１００と複数のモバイル端末１００間でＰＴＴ通信が遂行されるようにするＰＴＴ通信サーバー２００で構成され得る。
【００２７】
複数のモバイル端末１００はＰＴＴ通信サーバー２００に接続してＰＴＴ通信を遂行することができ、ＰＴＴボタンを加圧し音声信号を入力すれば、発信端末１００ａの役割を遂行することができ、発信端末１００ａと同じチャネルに接続して、ＰＴＴボタンが加圧されていない状態のモバイル端末１００が受信端末１００ｂの役割を遂行することができる。すなわち、一つのモバイル端末１００はＰＴＴボタンの加圧状態により発信端末１００ａの役割および受信端末１００ｂの役割を交差的に遂行することができる。
【００２８】
ＰＴＴ通信サーバー２００は、複数のモバイル端末１００が接続されると、接続されたモバイル端末１００のそれぞれが処理可能なＰＴＴ通信プロトコルに対する情報を受信して、接続されたモバイル間でプロトコルの種類が同じ種類であるか否かを判断し、処理可能なプロトコルが互いに異なる種類のものと判断されると、発信端末の役割をする第１モバイル端末１００ａから受信される音声信号のプロトコルを変換して受信端末の役割をする第２モバイル端末１００ｂに伝達することができる。
【００２９】
ここで、プロトコルはＰＴＴ通信プロトコルを意味し、プロトコルの種類とは、伝送階層によりインターネットおよびローカルネットワークのプロトコルとして多く利用されるＵＤＰ（Ｕｓｅｒ  Ｄａｔａｇｒａｍ  Ｐｒｏｔｏｃｏｌ）またはＴＣＰ（Ｔｒａｎｓｍｉｓｓｉｏｎ  Ｃｏｎｔｒｏｌ  Ｐｒｏｔｏｃｏｌ）を意味するか、ＰＴＴアプリケーションサービス別に異なって利用されるサービスまたは会社別プロトコルの種類を意味する。
【００３０】
図２は本発明の一実施例に係るＰＴＴ通信サーバー２００の構成をさらに詳細に説明するために図示された図面であり、図３は本発明の一実施例に係るプロトコル変換部２４０についてさらに詳細に説明するために図示された図面であり、図４は本発明の一実施例に係るモバイル端末１００に設置されたＰＴＴアプリケーションが実行される場合、画面の構成を説明するために図示された図面である。
【００３１】
図２〜図３を参照すると、本実施例に係るＰＴＴ通信サーバー２００は、前述したように複数のモバイル端末１００が接続されると、接続されたモバイル端末１００のそれぞれが処理可能なＰＴＴ通信プロトコルに対する情報を受信して、接続されたモバイル間でプロトコルの種類が同じ種類であるか否かを判断し、処理可能なプロトコルが互いに異なる種類のものと判断されると、発信端末の役割をする第１モバイル端末１００ａから受信される音声信号のプロトコルを変換して受信端末の役割をする第２モバイル端末１００ｂに伝達するために、チャネル管理部２１０、プロトコル管理部２２０、受信部２３０、プロトコル変換部２４０および発信部２５０を含むことができる。
【００３２】
チャネル管理部２１０は、二つ以上のモバイル端末１００間のＰＴＴ通信用チャネルを提供するために設けられる。
【００３３】
具体的には、チャネル管理部２１０は、複数のチャネルを管理するものの、それぞれのチャネル間でチャネル変更が可能であり、複数のモバイル端末１００が個人またはグループで特定チャネルに接続するようにすることができる。
【００３４】
また、チャネル管理部２１０は、特定のモバイル端末１００が特定のＰＴＴ通信用チャネルに接続する場合、接続された特定のＰＴＴ通信用チャネルに対する情報が含まれる接続履歴情報を生成して特定のモバイル端末１００に保存されるようにし、特定のモバイル端末１００に設置されたＰＴＴアプリケーションが実行されると、既保存された接続履歴情報が存在するか否かを判断して、既保存された接続履歴情報が存在すると、既保存された接続履歴情報に含まれたＰＴＴ通信用チャネルのうちいずれか一つにすぐに接続可能にすることができる。
【００３５】
そして、チャネル管理部２１０は、既保存された接続履歴情報が存在しないものと判断されると、既保存された接続履歴情報が存在しないモバイル端末１００がデフォルトチャネルに接続されるようにし、デフォルトチャネルに接続してプロトコルに対する情報をプロトコル管理部２２０に伝達した後、使用者の所望のチャネルにチャネル変更されるようにして、ＰＴＴ通信サーバー２００に接続するモバイル端末１００のプロトコル管理がより効果的に遂行されるようにすることができる。
【００３６】
すなわち、最初にＰＴＴ通信サーバー２００に接続する場合、モバイル端末１００のプロトコルに対する情報を受信するため、その後ＰＴＴ通信サーバー２００に接続するたびに、プロトコルに対する情報を繰り返し受信せずともプロトコル管理が可能である。
【００３７】
ただし、既存に接続する際に提供したプロトコルに対する情報に基づいてプロトコルを変換してＰＴＴ通信を遂行する場合、音声信号の発信または受信にプロトコルエラーが発生すれば、プロトコル管理部２２０が接続されたモバイル端末１００に再度プロトコルに対する情報を要請し、要請されたプロトコルに対する情報を受信することによって、発生したプロトコルエラー問題を解決することができる。
【００３８】
プロトコル管理部２２０は、チャネル管理部２１０が提供する特定のＰＴＴ通信チャネルを通じて、ＰＴＴ通信サーバー２００に接続された複数のモバイル端末１００に対してそれぞれのモバイル端末１００が処理可能なプロトコルに対する情報を受信して保存し、特定のＰＴＴ通信チャネルに接続された複数のモバイル端末１００に対して、それぞれのプロトコルが互いに異なるものであるかを判別するために設けられる。
【００３９】
具体的には、プロトコル管理部２２０は、特定のモバイル端末１００が特定のＰＴＴ通信チャネルに接続されると、ＰＴＴ通信チャネルに接続されたモバイル端末１００のＰＴＴ通信プロトコルに対する情報を受信して保存し、特定のＰＴＴ通信チャネルに接続された二つ以上のモバイル端末１００からそれぞれのＰＴＴ通信プロトコルに対する情報が受信されると、接続された二つ以上のモバイル端末１００間のＰＴＴ通信プロトコルが互いに異なるものであるか否かを判断することができる。
【００４０】
この時、プロトコル管理部２２０は、それぞれのモバイル端末１００により処理可能なＰＴＴ通信プロトコルがＵＤＰであるかまたはＴＣＰであるかを判断したり、またはサービス別／会社別プロトコルの種類が同じ種類であるか否かを判断するものである。
【００４１】
受信部２３０は、特定のＰＴＴ通信チャネルに接続された複数のモバイル端末１００のうち、発信端末の役割を遂行する第１モバイル端末１００ａから音声信号を受信するために設けられる。
【００４２】
プロトコル変換部２４０は、特定のＰＴＴ通信チャネルに接続された複数のモバイル端末１００間でプロトコルが互いに異なるものであるか否かの判断によって受信した音声信号のプロトコル変換の有無を決定し、プロトコルの変換が決定されると受信した音声信号のプロトコルを変換するために設けられる。
【００４３】
具体的には、受信部２３０は第１モバイル端末１００ａから音声信号を受信すると、受信した音声信号をプロトコル変換部２４０に伝達し、プロトコル変換部２４０は、特定のＰＴＴ通信チャネルに接続された二つ以上のモバイル端末１００間のＰＴＴ通信プロトコルが互いに異なる場合、受信した音声信号の第１ＰＴＴ通信プロトコルが接続された二つ以上のモバイル端末１００のうち、受信端末の役割を遂行する第２モバイル端末１００ｂで処理可能な第２ＰＴＴ通信プロトコルに変換されるようにすることができる。
【００４４】
その反対に、プロトコル変換部２４０は、特定のＰＴＴ通信チャネルに接続された二つ以上のモバイル端末１００間のＰＴＴ通信プロトコルが互いに同じである場合、受信した音声信号のＰＴＴ通信プロトコルの変換過程なく第２モバイル端末１００ｂに伝達することができる。
【００４５】
また、プロトコル変換部２４０は、特定のＰＴＴ通信チャネルに接続された複数のモバイル端末１００から互いに異なるＰＴＴ通信プロトコルの音声信号が重複して受信されると、受信したそれぞれの音声信号のうち第１音声信号のＰＴＴ通信プロトコルがすぐに変換されるようにするものの、第２音声信号のＰＴＴ通信プロトコルが変換されていない状態で一時保存されるようにし、第１音声信号のＰＴＴ通信プロトコルの変換が完了すると、一時保存された第２音声信号のＰＴＴ通信プロトコルが変換されるようにすることができる。
【００４６】
そして、プロトコル変換部２４０は前述したような動作特性を遂行するために、プロトコル変換プログラム２４１が設置され、設置されたプロトコル変換プログラム２４１が利用可能な伝送階層プロトコルＤＢ２４２とアプリケーションサービス別プロトコルＤＢ２４３が設けられ得る。
【００４７】
プロトコル変換プログラム２４１は、特定のＰＴＴ通信チャネルに接続された複数のモバイル端末１００間でプロトコルの伝送階層の種類が異なるのか、アプリケーションサービス別プロトコルの種類が異なるのか、プロトコル管理部２２０の判別結果によって伝送階層プロトコルＤＢ２４２とアプリケーションサービス別プロトコルＤＢ２４３に保存されたプロトコルに対する情報を選択し、選択されたプロトコルに対する情報を利用して、第１モバイル端末１００ａから受信した音声信号の第１ＰＴＴ通信プロトコルを第２モバイル端末１００ｂが処理可能な第２ＰＴＴ通信プロトコルに変換することができる。
【００４８】
一例として、プロトコル変換プログラム２４１は、Ａという特定の会社で提供する無線機アプリケーションを利用する第１モバイル端末１００ａとＰＴＴ通信のためのライブラリアプリケーションを利用する第２モバイル端末１００ｂ間でも連結が可能であるようにすることができる。
【００４９】
そして、プロトコル変換部２４０は、プロトコル管理部２２０が特定のモバイル端末１００のＰＴＴ通信プロトコルに対する情報を受信して保存する場合、保存されたプロトコルがアプリケーションサービスプロトコルに対するものであれば、これをアプリケーションサービス別プロトコルＤＢ２４３に追加することができる。
【００５０】
発信部２５０は、受信した音声信号が受信端末の役割をする第２モバイル端末１００ｂに伝達されるようにするために設けられる。
【００５１】
すなわち、発信部２５０は、特定のＰＴＴ通信チャネルに接続された二つ以上のモバイル端末１００間のＰＴＴ通信プロトコルが互いに異なる場合、第２ＰＴＴ通信プロトコルに変換された音声信号が第２モバイル端末１００ｂに伝達されるようにすることができる。
【００５２】
図４を参照すると、本実施例に係るモバイル端末１００は、スマートフォンのような情報処理端末で具現され、本ＰＴＴ通信サーバー２００が提供するＰＴＴアプリケーションを設置し実行することによって、ＰＴＴ通信サーバー２００が提供するチャネルに接続してＰＴＴ通信を遂行することができる。
【００５３】
具体的には、本モバイル端末１００は、ＰＴＴアプリケーションが実行されると、デフォルト値によってＰＴＴボタンとして設定された第１アイコン１１１とモバイル端末１００に既保存された接続履歴情報により、特定のＰＴＴ通信チャネルにすぐに接続するための機能キー（Ｆｕｎｃｔｉｏｎ  Ｋｅｙ）ボタンとして設定された第２アイコン１１２が画面に出力され得る。
【００５４】
すなわち、本実施例に係るＰＴＴアプリケーションが実行されたモバイル端末１００は、それぞれの第２アイコンに対応する、すぐに接続可能な特定のＰＴＴ通信チャネルを登録させることができ、すぐに接続可能な特定のＰＴＴ通信チャネルが登録されると、画面に、第２アイコン１１２の数が既登録されたすぐに接続可能な特定のＰＴＴ通信チャネルの数だけ出力され得る。
【００５５】
そして、本実施例に係るＰＴＴアプリケーションが実行されたモバイル端末１００は、ＰＴＴアプリケーションが実行されて、画面に出力される複数のアイコンのうちいずれか一つのアイコンをダブルクリックすると、ダブルクリックされたアイコンがＰＴＴ通信を遂行するためのＰＴＴ加圧ボタンとして設定され得る。
【００５６】
すなわち、本ＰＴＴアプリケーションが実行されたモバイル端末１００は、基本として第１アイコン１１１がＰＴＴボタンとして設定されるが、使用者の便宜性を向上させるために、複数の第２アイコン１１２のうちいずれか一つの第２アイコン１１２−１をダブルクリックすると、ダブルクリックされた第２アイコン１１２−１がＰＴＴ加圧ボタンとして設定され得る。
【００５７】
この時、チャネル管理部２１０は、モバイル端末１００に設置されたＰＴＴアプリケーションが実行され、設定されたＰＴＴ加圧ボタンが加圧されると、モバイル端末１００が特定のＰＴＴ通信用チャネルを選択しなくても、ＰＴＴ加圧ボタンが加圧されたモバイル端末１００が既保存された接続履歴情報に含まれたＰＴＴ通信用チャネルのうち、最も最近に接続されたＰＴＴ通信用チャネルに接続されるようにすることによって、使用者に便宜を提供することができる。
【００５８】
また、言い加えると、本ＰＴＴアプリケーションが実行されたモバイル端末１００は、ディスプレイ画面に出力されたアイコンだけでなく、通話音声またはメディアのボリュームを制御するために設けられた音量ボタンを連続的にタッチして加圧すると、音量ボタンもＰＴＴ加圧ボタンとして設定して利用することができる。
【００５９】
図５は、本発明の一実施例に係るプロトコル互換性が向上したＰＴＴ通信方法（以下では「ＰＴＴ通信方法」と称する）を説明するために図示されたフローチャートである。
【００６０】
本実施例に係るＰＴＴ通信方法は、ＴＣＰ伝送階層とＵＤＰ伝送階層間のプロトコル互換性を向上させ、ＰＴＴアプリケーションサービス別に互いに異なる専用プロトコルを利用する場合にも、ＰＴＴアプリケーションサービス別プロトコルが相互に互換できるようにするために、二つ以上のモバイル端末１００がＰＴＴアプリケーションを通じて特定のＰＴＴ通信チャネルに接続すると（Ｓ５１０）、ＰＴＴ通信サーバー２００が特定のＰＴＴ通信チャネルに接続された二つ以上のモバイル端末１００からＰＴＴ通信プロトコルに対する情報を受信することになる（Ｓ５２０）。
【００６１】
そして、ＰＴＴ通信サーバー２００はそれぞれのＰＴＴ通信プロトコルに対する情報を比較して（Ｓ５３０）、二つ以上のモバイル端末１００間のＰＴＴ通信プロトコルが互いに異なるものであるか否かを判断することができる（Ｓ５４０）。
【００６２】
この時、二つ以上のモバイル端末１００間のＰＴＴ通信プロトコルが互いに異なると（Ｓ５４０−Ｙｅｓ）、ＰＴＴ通信サーバー２００は二つ以上のモバイル端末１００のうち発信端末の役割を遂行する第１モバイル端末１００ａから音声信号を受信して（Ｓ５５０）、受信した音声信号の第１ＰＴＴ通信プロトコルが二つ以上のモバイル端末１００のうち受信端末の役割を遂行する第２モバイル端末１００ｂで処理可能な第２ＰＴＴ通信プロトコルに変換されるようにし（Ｓ５６０）、変換された音声信号を第２モバイル端末１００ｂに伝達することができる（Ｓ５７０）。
【００６３】
そして、二つ以上のモバイル端末１００間のＰＴＴ通信プロトコルが互いに同じであると（Ｓ５４０−Ｎｏ）、ＰＴＴ通信サーバー２００が第１モバイル端末１００ａから音声信号を受信し、プロトコルの変換過程なく第２モバイル端末１００ｂに伝達して（Ｓ５５５）、ＰＴＴ通信を遂行することができる。
【００６４】
これを通じて、ＴＣＰ伝送階層とＵＤＰ伝送階層間のプロトコル互換性を向上させ、ＰＴＴアプリケーションサービス別に互いに異なる専用プロトコルを利用する場合にも、ＰＴＴアプリケーションサービス別プロトコルが相互に互換できるようにすることができる。
【００６５】
以上では本発明の好ましい実施例について図示して説明したが、本発明は前述した特定の実施例に限定されず、特許請求の範囲で請求する本発明の要旨を逸脱することなく当該発明が属する技術分野で通常の知識を有する者によって多様な変形実施が可能であることは言うまでもなく、このような変形実施は本発明の技術的思想や展望から個別的に理解されてはならない。
【図１】
2021506200.tif 000003
【図２】
2021506200.tif 000004
【図３】
2021506200.tif 000005
【図４】
2021506200.tif 000006
【図５】
2021506200.tif 000007
【国際調査報告】
2021506200.tif 000008
2021506200.tif 000009
2021506200.tif 000010
2021506200.tif 000011